(57)【要約】      （修正有）【課題】化学的性質を利用して貝類の付着を防止する従来方法では、化学的成分は消失・分解するので、長期的な使用はできない。短期的に何回も塗り替え作業等のメンテナンスが必要であり、高コストな方法であるので、長期的な使用が可能で、大幅にコストダウンが図れる貝類付着防止方法及び貝類付着防止塗布構造体を提供する。【解決手段】海洋構造物の海水に浸漬される部分に、表面が凹凸面に形成されたガラス表面層を形成する。前記ガラス表面層は、液体ガラスを塗布し、乾燥して形成する。【選択図】なし【特許請求の範囲】
【請求項１】
海洋構造物の海水に浸漬される部分に、表面が凹凸面に形成されたガラス表面層を形成することを特徴とする貝類付着防止方法。
【請求項２】
海洋構造物の海水に浸漬される部分に、表面が凹凸面に形成されたガラス表面層を形成してなることを特徴とする貝類付着防止塗布構造体。
【請求項３】
前記ガラス表面層は、液体ガラスを塗布し、乾燥して形成されたことを特徴とする請求項１記載の貝類付着防止方法。
【請求項４】
前記ガラス表面層は、液体ガラスを塗布し、乾燥して形成されたことを特徴とする請求項２記載の貝類付着防止塗布構造体。
【発明の詳細な説明】
【技術分野】
【０００１】
本発明は貝類付着防止方法及び貝類付着防止塗布構造体に関する。
【背景技術】
【０００２】
フジツボや桜貝等の貝類が海洋構造物に付着すると、その海洋構造物の機能及び寿命を低下させる。特に、海で移動する船舶の海水に浸漬される部分、水流の流速によって発電させる水流発電機の導水路及び回転羽根等に貝類が付着すると水の抵抗が増し、これらの海洋構造物の機能及び寿命が著しく低下する。従来、貝類の付着防止のために、海洋構造物に付着防止剤を塗布（コーティング）するものとして、例えば特許文献１〜３等が挙げられる。
【０００３】
特許文献１は、漁具や船舶等の海水に浸漬される部分に塗布される貝類付着防止用コーティング剤が、未加流の天然ゴムを主成分とする溶液又はラテックスからなっている。
【０００４】
特許文献２は、生分解性樹脂及びセラック、変性セラック、天然ゴム、変性天然ゴムから選ばれる１種類若しくは２種類以上の改良剤を含有してなる水系分散液であり、生分解性樹脂：改質剤が１００：０．２〜５０（質量比）であることを特徴とする付着水棲生物易離脱性防汚組成物、それを塗布乾燥させた水棲生物の付着防止物品、及びこれを用いた水棲生物の付着防止方法である。
【０００５】
特許文献３は、塗料原料として純粋な化学物質としてのカプサイシン又はカプサイシンを豊富に含有するトウガラシの実を粉末にしたものを、全固形成分重量比率において１／１０００００以上含有させるか或いは、カプサイシンを含む植物材料粉末を、それに含まれるカプサイシンが全固形成分重量比率において１／１０００００以上含有させて、貝類付着防止用塗料としている。
【先行技術文献】
【特許文献】
【０００６】
【特許文献１】特開平８−７３７７９号公報
【特許文献２】特開２００５−１３２９２４号公報
【特許文献３】特開２００８−７５０６０号公報
【発明の概要】
【発明が解決しようとする課題】
【０００７】
特許文献１は、天然ゴムを主成分とする塗布剤を塗布するもので、短期的に分解して剥がれ落ちるため、長期的には機能しなく、長期使用できない。特許文献２は、水系分散液の生分解性樹脂を塗布するので、この方法も短期的には効果がでるが、長期的保護には向かず繰り返し塗布が必要となる。特許文献３は、塗料にカプサイシン又はトウガラシの粉末を混ぜる方法で、１〜２年でカプサイシン又はトウガラシ成分が水に溶けて流出・消失するので、機能が著しく低下する。即ち、短期的には機能するが、長期的には使用できなく短期的に繰り返し塗布が必要となる。
【０００８】
このように、特許文献１〜３は、いずれも化学的性質を利用して貝類の付着を防止しているが、化学的成分は消失・分解するので、長期的な使用はできない。このため、短期的に何回も塗り替え作業等のメンテナンスが必要であり、高コストな方法である。
【０００９】
本発明の課題は、長期的な使用が可能で、大幅にコストダウンが図れる貝類付着防止方法及び貝類付着防止塗布構造体を提供することにある。
【課題を解決するための手段】
【００１０】
上記課題を解決するための本発明の請求項１及び２は、海洋構造物の海水に浸漬される部分に、表面が凹凸面に形成されたガラス表面層を形成することを特徴とする。
【００１１】
上記課題を解決するための本発明の請求項３及び４は、請求項１又は２において、前記ガラス表面層は、液体ガラスを塗布し、乾燥して形成されたことを特徴とする。
【発明の効果】
【００１２】
成分が変化しない、即ち水に溶解しなく、かつ変質しないガラス表面層を形成するので、塗布後は物理的なダメージを受けない限り、１回の塗布（コーティング）で長期的に使用が可能であり、メンテナンスコストがかからなく、大幅にコストを削減することができる。また環境への影響が少なく、耐久性、耐候性、耐酸性等に優れた効果が得られる。また従来技術は有機物を塗布していたため、有機物や貝類が付着し易い状態であったが、ガラスは無機質であり、有機物が付着しにくい。また貝類は、平坦面には吸盤によって吸着し易いが、ガラス表面層が凹凸面に形成されているので、貝類が付着しにくい。
【発明を実施するための形態】
【００１３】
海洋構造物の海水に浸漬される部分にガラス表面層を形成し、このガラス表面層の表面を山形の凹凸面に形成する。ガラス表面層は、海洋構造物の必要部分に液体ガラスを塗布して乾燥させて形成する。凹凸面は、例えばエンボス加工によって形成する。このエンボス加工は、円周及び幅方向に突起が設けられた熱ロールを前記のように形成されたガラス表面層に押し当てて形成する。液体ガラスとして、例えば有限会社西本設備の液体ガラスを使用する。この液体ガラスは、耐久性に優れると共に、有機溶剤を使用していないので環境負荷が少ない。また鉄、アルミニウム、ステンレス等に塗布した場合、耐候性、耐酸性等にも優れている。
【００１４】
このように、成分が変化しない、即ち水に溶解しなく、かつ変質しないガラス表面層を形成するので、塗布後は物理的なダメージを受けない限り、１回の塗布（コーティング）で長期的に使用が可能であり、メンテナンスコストがかからなく、大幅にコストを削減することができる。また環境への影響が少なく、耐久性、耐候性、耐酸性等に優れた効果が得られる。また従来技術は有機物を塗布していたため、有機物や貝類が付着し易い状態であったが、ガラスは無機質であり、有機物が付着しにくい。また貝類は、平坦面には吸盤によって吸着し易い。これに対して本実施の形態は、ガラス表面層が凹凸面に形成されているので、貝類が付着しにくい。
【００１５】
凹凸面のピッチＰ、凸部の高さＨは、〔数１〕及び〔数２〕の範囲に設定することが好ましい。ピッチＰが１ｍｍより小さく、また７ｍｍより大きいと、貝類が吸着し易い。また凸部の高さＨがピッチＰの１／２未満及び２倍より大きくても貝類が吸着し易い。
【００１６】
【数１】
2010242439.tif 000002
【数２】
2010242439.tif 000003
【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
海洋構造物の海水に浸漬される部分に液体ガラスを塗布して乾燥させてガラス表面層を形成し、このガラス表面層に熱ロールを押し当ててエンボス加工によって凹凸面に形成することを特徴とする貝類付着防止方法。
【請求項２】
海洋構造物の海水に浸漬される部分に液体ガラスを塗布して乾燥させてガラス表面層を形成し、このガラス表面層に熱ロールを押し当ててエンボス加工によって凹凸面に形成してなることを特徴とする貝類付着防止塗布構造体。
【請求項３】
前記凹凸面は、ピッチが１ｍｍより大きく７ｍｍより小さい範囲で、凸部の高さが前記ピッチの１／２以上で２倍以下の範囲であることを特徴とする請求項１記載の貝類付着防止方法。
【請求項４】
前記凹凸面は、ピッチが１ｍｍより大きく７ｍｍより小さい範囲で、凸部の高さが前記ピッチの１／２以上で２倍以下の範囲であることを特徴とする請求項２記載の貝類付着防止塗布構造体。
【手続補正２】
【補正対象書類名】明細書
【補正対象項目名】００１０
【補正方法】変更
【補正の内容】
【００１０】
上記課題を解決するための本発明の請求項１及び２は、海洋構造物の海水に浸漬される部分に液体ガラスを塗布して乾燥させてガラス表面層を形成し、このガラス表面層に熱ロールを押し当ててエンボス加工によって凹凸面に形成することを特徴とする。
【手続補正３】
【補正対象書類名】明細書
【補正対象項目名】００１１
【補正方法】変更
【補正の内容】
【００１１】
上記課題を解決するための本発明の請求項３及び４は、請求項１又は２において、前記凹凸面は、ピッチが１ｍｍより大きく７ｍｍより小さい範囲で、凸部の高さが前記ピッチの１／２以上で２倍以下の範囲であることを特徴とする。